(57)【要約】【課題】  光路折り曲げ用の光学素子を含む複数枚のレンズをクラムシェルタイプのシェルにより半径方向から保持できるレンズ保持ユニットを提供する。【解決手段】  レンズ保持ユニット１０は、第１のシェル１１および第２のシェル１２と独立し、光路を９０度折り曲げるプリズム６を保持する接続用の第４のシェル１４を有する。この第４のシェル１４は、光軸を中心に接合された同一形状の２つのサブユニット３４を備えたクラムシェルタイプであり、一方のサブユニット３４の光路のみが有効に使用される。【選択図】        図６
2006085091.tif 000002
【特許請求の範囲】
【請求項１】
第１のレンズ群を保持するための第１のシェルと、
第２のレンズ群を保持するための第２のシェルと、
前記第１のレンズ群と前記第２のレンズ群との間の光路を折り曲げる光学素子を保持するための接続用のシェルとを有し、
前記接続用のシェルは、光軸を中心に接合された同一形状の２つの接続用のサブユニットを備え、一方の前記接続用のサブユニットの光路のみが有効に使用され、さらに、前記第１のシェルに接続するための第１の構造と、前記第２のシェルに接続するための第２の構造とを具備し、前記第１の構造および前記第２の構造の少なくとも一方を共役な２つの位置に具備する、レンズ保持ユニット。
【請求項２】
請求項１において、前記第１のシェルおよび第２のシェルの少なくともいずれかは、光軸を中心に接合された同一形状の２つのサブユニットを備えているレンズ保持ユニット。
【請求項３】
第１のレンズ群を保持するための第１のシェルと、
第２のレンズ群を保持するための第２のシェルとを有し、
前記第１のシェルは、前記第１のレンズ群と前記第２のレンズ群との間の光路を折り曲げる光学素子を保持するための接続部分を備えており、
前記第１のシェルは、光軸を中心に接合された同一形状の２つの第１のサブユニットを備え、少なくとも前記接続部分においては、前記第１のサブユニットの光路のみが有効に使用され、さらに、前記第２のシェルに接続するための第２の構造を共役な２つの位置に備えているレンズ保持ユニット。
【請求項４】
請求項１または３において、当該レンズ保持ユニットは、光変調器からの投影光をスクリーンに投写するレンズユニット用であり、前記第１のレンズ群および前記第２のレンズ群のうち、一方のレンズ群は前記光変調器の側に位置し、他方のレンズ群が前記スクリーンの側に位置する、レンズ保持ユニット。
【請求項５】
請求項４に記載のレンズ保持ユニットと、前記第１のシェルに保持された第１のレンズ群と、前記第２のシェルに保持された第２のレンズ群と、前記第１のレンズ群と前記第２のレンズ群との間の光路を折り曲げる光学素子とを有するレンズユニット。
【請求項６】
請求項５に記載のレンズユニットと、光変調器と、スクリーンとを有し、
前記レンズユニットにより、前記光変調器からの投影光を曲げて前記スクリーンに投写する画像表示装置。
【発明の詳細な説明】
【技術分野】
【０００１】
本発明は、液晶あるいはＤＭＤなどのライトバルブに表示された像をスクリーンに拡大投影する画像表示装置に適したレンズユニットおよびレンズ保持ユニットに関するものである。
【背景技術】
【０００２】
画像信号により光を変調して画像を形成する光変調器（ライトバルブ）からの投影光を投写レンズによりスクリーンに背面から投写するリア方式のプロジェクタ装置が知られている。特許文献１には、光路を折り曲げるプリズムまたはミラーを、レンズシステムを構成するレンズ群の途中に配置して、光路を切り換えるプロジェクタ装置が開示されている。
【特許文献１】特開平６−１３８３８６号公報
【発明の開示】
【発明が解決しようとする課題】
【０００３】
複数枚のレンズを備えたレンズユニットにおいて、それぞれのレンズは円盤状であり、複数枚のレンズは、光軸がレンズの中心と一致するように直線的に配置される。したがって、光軸方向に一列に並んだ複数枚のレンズの外周の形状は、光軸の回りにどの角度でも同一になる。このため、複数枚のレンズの半径方向（ラジアル方向）を支持するホルダ（レンズ保持ユニット）を提供する場合、そのホルダを光軸の回りに適当な角度で等分し、内外の形状が同一のサブユニットに分割することが可能になる。内側に支持する複数のレンズの配置は光軸の回りにどの角度でも同一になるとしても、それらを支持する構造を光軸の回りにどの角度でも同一にする必要はなく、また、ホルダの外観も同様である。ホルダにレンズを取り付けてレンズユニットを組み立てる際の組み立てやすさ、プラスチックなどによる成形のし易さなどを検討すると、ホルダを、光軸に沿って、光軸を中心に２つに分割した形状を同一にすることが好ましく、光軸を中心に２つに分割した同一形状のサブユニットを接合して１つのホルダとすることが考えられている。
【０００４】
このようなレンズホルダの構成を、本明細書においては、クラムシェルタイプと称し、本発明はクラムシェルタイプのレンズホルダ（レンズ保持ユニット）に関するものである。クラムシェルタイプのホルダは、１つの成形用の型から製造した２つのサブユニットを接合するので、レンズ保持ユニットを低コストで製造または組立てできる。また、同一構造で、同じ公差を持ったサブユニット同士によりラジアル方向（半径方向）から支持されるので、レンズの中心または光軸を揃え易いというメリットがある。したがって、従来のテレビ並みの画像の品質を投影像により得られることが期待されているリアプロジェクタ用の投写用のレンズシステムに、クラムシェルタイプのホルダを用いることは好適である。
【０００５】
しかしながら、クラムシェルタイプのレンズ保持ユニットの大きな問題は、光軸の回りに非対称な形状に対応できないということである。たとえば、光路をレンズシステム内で折り曲げる場合は、光軸が折り曲げられる。したがって、レンズの配置は、いずれの光軸の回りにも対称な配置にならず、クラムシェルタイプのレンズホルダを適用できない。光軸の方向が異なるレンズ群と、それらを個別に保持するためのホルダに分けて、それぞれのホルダをクラムシェルタイプにすることは可能である。しかしながら、光路を折り曲げる部分は、光軸が交わる部分なのでクラムシェルタイプを採用することができない。
【０００６】
そこで、本発明においては、光路を折り曲げる光学素子を備えた複数枚のレンズを半径方向から支持することができるクラムシェルタイプのレンズ保持ユニットおよびレンズユニットを提供することを目的としている。
【課題を解決するための手段】
【０００７】
リアプロジェクタ装置などのスクリーンに対して所定の角度だけ傾いた方向から画像を投写するシステム（斜め投写するシステム）においては、スクリーンに対して台形に傾いた像が投影される。したがって、スクリーンに所望のサイズと形状の画像を投影するために、予めライトバルブにおいてスクリーンに投写される画像を台形補正して形成し、レンズユニットを用いて投影する。このため、レンズユニットを通過する画像は、全体が台形となるように補正された画像であり、正方形あるいは長方形の画像ではない。レンズユニットを効果的に利用しようとする場合、すなわち、小口径のレンズにより大きな画像を投影しようとした場合、レンズの面積をできる限り有効に画像を拡大投影するために利用したい。したがって、台形な画像の長辺をレンズの直径またはその付近で処理し、台形な画像の短辺をレンズの周囲で処理することが望ましい。
【０００８】
薄型のリアプロジェクタにおいては、スクリーンとレンズの光軸との傾きは大きくなり、長辺と短辺との比率が大きな台形補正が要求されることはよくある。このとき、最も有効にレンズを使用するには、台形の長辺をレンズの直径に合わせて画像を入力することである。したがって、レンズの半分の面積が画像の処理に利用される。同様に、光軸を曲げる部分の光学素子においても、光軸に対して半分の面積が使用されるように光学システムを設計すれば、光学素子においては、光軸回りの対称性は不要となる。このため、光学素子をサポートするホルダにおいても、光学素子をサポートする形状は、光軸回りの対称性が不要となる。
【０００９】
したがって、ホルダの光路を折り曲げる部分の他の要素をいずれか一方の光軸回りに対称にすることができれば、折り曲げる部分のシェルもクラムシェルタイプにすることが可能となる。このため、本発明においては、光路を折り曲げる光学素子を保持するための部分を他の部分とは独立したシェル（接続用のシェル）とし、この接続用のシェルと他のシェルを接続する方式としている。この接続用のシェルにおいては一方のサブユニットの光路のみが使用される。接続用のシェルは、第１のシェルに接続するための第１の構造と、第２のシェルに接続するための第２の構造とを具備するが、第１の構造および第２の構造の少なくとも一方を共役な２つの位置に設けることにより、第２のシェルの光軸（第２の光軸）または第１のシェルの光軸（第１の光軸）の回りに対称な構造とし、接続用のシェルを同一構造の半割れのサブユニットにより提供可能なクラムシェルタイプにしている。光路を折り曲げる角度は９０度に限定されないが、光路が９０度折り曲げられたレンズユニット用のクラムシェルは比較的シンプルな構成になる。
【００１０】
すなわち、本発明のレンズ保持ユニットは、第１のレンズ群を保持するための第１のシェルと、第２のレンズ群を保持するための第２のシェルと、第１のレンズ群と第２のレンズ群との間の光路を折り曲げる光学素子を保持するための接続用のシェルとを有し、接続用のシェルは、光軸を中心に接合された同一形状の２つの接続用のサブユニットを備える。接続用のシェルにおいては、一方の接続用のサブユニットの光路のみが有効に使用される。さらに、この接続用のシェル、すなわち、接続用のサブユニットは、第１のシェルに接続するための第１の構造と、第２のシェルに接続するための第２の構造とを具備し、第１の構造および第２の構造の少なくとも一方を共役な２つの位置に具備する。共役な２つの位置とは、第１の光軸または第２の光軸の回りに対称な位置にあることを言う。
【００１１】
第１のレンズ群が第１の光軸の回りに対称な配置であれば、すなわち、第１の光軸に沿ったレンズ配置であれば、第１のシェルはクラムシェルにすることができる。第２のレンズ群が第２の光軸の回りに対称な配置であれば、すなわち、第２の光軸に沿ったレンズ配置であれば、第２のシェルもクラムシェルにすることができる。したがって、第１のシェルを、光軸（第１の光軸）を中心に接合された同一形状の２つの第１のサブユニットを備えたクラムシェルとし、第２のシェルを、光軸（第２の光軸）を中心に接合された同一形状の２つの第２のサブユニットを備えたクラムシェルとすることができる。このため、本発明により、光路が途中で折れ曲がったタイプのレンズユニットを構成する複数枚のレンズを支持するレンズ保持ユニットをクラムシェルタイプにすることが可能となる。したがって、光路が途中で折れ曲がったタイプのレンズユニットを、クラムシェルを用いて製造することが可能となり、低コストで、歩留まり良く、結像性能の高いレンズユニットを提供できる。
【００１２】
第１のレンズ群が第１の光軸の回りに対称な形状になるのであれば、第２のシェルに接続する構造を共役な位置に設けることにより、第１のレンズ群とプリズムなどの光学素子とを一体で保持するシェルをクラムシェルタイプにすることが可能である。すなわち、本発明は、第１のレンズ群を保持するための第１のシェルと、第２のレンズ群を保持するための第２のシェルとを有し、第１のシェルは、第１のレンズ群と第２のレンズ群との間の光路を折り曲げる光学素子を保持するための接続部分を備えており、第１のシェルは、光軸を中心に接合された同一形状の２つの第１のサブユニットを備え、少なくとも接続部分においては、第１のサブユニットの光路のみが有効に使用されるレンズ保持ユニットを含む。このレンズ保持ユニットにおいては、第１のシェルは、すなわち、第１のサブユニットは、さらに、第２のシェルに接続するための第２の構造を共役な２つの位置に備えている。
【００１３】
本発明のレンズ保持ユニットが、光変調器からの投影光をスクリーンに投写するレンズユニット用の場合は、第１のレンズ群および第２のレンズ群のうち、一方のレンズ群は光変調器の側に位置し、他方のレンズ群がスクリーンの側に位置するものである。
【００１４】
そして、本発明のレンズユニットにより、光変調器と、スクリーンとを有し、レンズユニットにより、光変調器からの投影光を曲げてスクリーンに投写する画像表示装置を低コストで提供できる。このタイプの画像表示装置は、薄型のリアプロジェクタとして好適なものである。
【発明を実施するための最良の形態】
【００１５】
図１に、本発明のレンズユニットを備えたリアプロジェクタ装置１の概要を示してある。このリアプロジェクタ装置１は、ハウジング２の内部に、光源３と、光源３からの光を画像信号により変調して画像を形成する光変調器（ライトバルブ）４と、ライトバルブ４の画像を拡大投影するためのレンズユニット５と、投影光８を反射してスクリーン９に導くミラー７とを有している。そして、ハウジング２の表面にスクリーン９が配置されており、そのスクリーン９にライトバルブ４の画像が拡大して投影される。ライトバルブ４としては、液晶パネルやマイクロミラー素子によるＤＭＤパネルなどを採用できる。
【００１６】
図２に、投写用のレンズユニット５の概略を示してある。レンズユニット５は、複数枚のレンズ２０と、レンズユニット５の内部で光路を折り曲げるためのプリズム６と、これらを収納したレンズ保持ユニット１０とを備えている。レンズ保持ユニット１０は、全体としてＬ字型になっており、内蔵されたプリズム６によりレンズユニット５の内部で光を９０度曲げて投影光を出力する。この投影光は、ミラー７を介してスクリーン９に投影され画像を形成する。複数枚のレンズ２０は、スクリーン９の側から順に第１のレンズ群２１と、第２のレンズ群２２と、第３のレンズ群２３に分かれて配置されている。第１のレンズ群２１は、プリズム６のスクリーン側に配置され、第２のレンズ群２２および第３のレンズ群２３は、プリズム６のライトバルブ側に配置されている。
【００１７】
このレンズユニット５のレンズ保持ユニット１０は、第１のレンズ群２１を収納し保持するための筒状の第１のシェル１１と、第２のレンズ群２２を収納し保持するための筒状の第２のシェル１２と、第３のレンズ群２３を収納し保持するための筒状の第３のシェル１３と、プリズム６を保持し光路が９０度曲がった接続用の第４のシェル１４とを備えている。これらのシェル（ホルダ）１１〜１４のうち、第３のシェル１３と第２のシェル１２とは、第２のシェル１２のライトバルブ４の側に対して、第３のシェル１３が位置調整した後に固定される取り付け構造となっている。第４のシェル１４と第２のシェル１２とは、第２のシェル１２のスクリーン９の側に固定される接続構造になっている。第１のシェル１１と第４のシェル１４とは、第４のシェル１４の９０度曲がったスクリーン９の側に対して、第１のシェル１１が位置調整した後に固定される接続構造になっている。
【００１８】
図３に、レンズユニット５のレンズ群２１〜２３およびプリズム６により構成される光学系を模式的に示してある。なお、この図は、レンズ群２１、２２および２３のレンズの枚数は省略し、さらに、光路も模式的に示してある。ライトバルブ４により形成された画像の投影光２９は、第３のレンズ群２３、および第２のレンズ群２２により処理され、プリズム６の位置では、光軸２６より紙面の後方の領域を用いて角度が変えられる。そして、プリズム６により、立体的に９０度方向に反射された投影光２９は、第１のレンズ群２１により処理され、スクリーン９に向けて出力される。したがって、プリズム６は、光軸２５および２６より紙面の後方の部分だけがあれば足り、破線で示した部分９６は不用であり、本レンズユニット５においては装着されていない。このため、プリズム６をカバーする第４のシェル１４においては、内部に形成される光路の断面の半分の面積が光学的には有効に利用されることになる。
【００１９】
本例のプロジェクタ装置１は、投写用のレンズユニット５によりミラー７を介してスクリーン９に対して斜め下方から投影光を投写する光学系が採用されている。したがって、スクリーン９における画像の台形歪みを防ぐために、ライトバルブ４で台形補正された画像が形成される。スクリーン９に画像を投影する際に、台形歪が大きい場合は、補正された画像の底辺とレンズの直径とを一致させ、レンズの半分の領域を用いて投影光を処理することがレンズの面積を最も有効に利用することができることは上述した通りである。本例のレンズユニット５においては、光路を９０度曲げるプリズム６においても、光学的に有効な部分が光軸２５および２６に対して図面の後ろ側に限定される光学設計になっており、その領域に投影光を第２のレンズ群２２から第１のレンズ群２１に反射するようにプリズム６を配置すれば所望の光学性能を得ることができる。逆に、他の領域には有効な投影光が及ばないので、他の領域の光は反射せずに吸収することが望ましいといえる。
【００２０】
図４にレンズユニット５の外観の詳細を斜視図により示してある。また、図５に、レンズユニット５のレンズ保持ユニット１０を各々のシェルに分離した状態で斜視図により示してある。この例では、第２のシェル１２、第３のシェル１３および第４のシェル１４は、それぞれクラムシェルタイプのホルダであり、光軸の上下または左右２つに分割された同一形状のサブユニットにより構成されており、それらをネジ止めなどの方法によって接合することにより１つのほぼ円筒形のシェルが形成されている。このため、第２のシェル１２は同一形状の２つの第２のサブユニット３２を備え、第３のシェル１３は同一形状の２つの第３のサブユニット３３を備え、第４のシェル１４は同一形状の２つの第４のサブユニット３４を備えている。第１のシェル１１は、第１のレンズ群２１の配列が一方から挿入しやすい構成になっているので、クラムシェルタイプは採用されていない。しかしながら、他のシェルと同様に、第１のシェル１１もクラムシェルタイプのホルダとすることは可能である。
【００２１】
第２のシェル１２および第３のシェル１３はほぼ筒型であり、内部において第２のレンズ群２２および第３のレンズ群２３を半径方向から保持している。これらのシェル１２および１３は、第３のシェル１３を第２のシェル１２に挿入し、第３のシェル１３の位置を調整した後、ネジ止めなどによって固定される。これにより、第２のシェル１２により保持された第２のレンズ群２２と、第３のシェル１３により保持された第３のレンズ群２３との光軸２６の光学的な距離が調整され、焦点補正、収差補正などの光学性能が良好なレンズユニットを提供できる。
【００２２】
第２のシェル１２と第４のシェル１４の接合部は、全体が四角形に近いフランジ１６および１７ａになっており、それらを重ね合わせてネジ止めすることにより、第２のレンズ群２２に対して所望の距離にプリズム６が固定される。シェル１４のフランジ１７ａに対して垂直に交差する位置には、第１のシェル１１を差し込むためのロート状の接続口１９が形成されている。第４のシェル１４に対して、第１のシェル１１は、光軸２５の方向の位置を調整した後、ネジ止めなどにより接続される。これにより、第２のシェル１２により保持された第２のレンズ群２２と、第１のシェル１１により保持された第１のレンズ群２１との光軸２５の光学的な距離が調整され、焦点補正、収差補正などの光学性能が良好なレンズユニットを提供できる。
【００２３】
第４のシェル１４は、光軸２５に対して対称な位置に第２のシェル１２と接続することができるフランジ１７ａおよび１７ｂを備えた接続構造（第２の接続構造）１８を備えている。このため、接続用の第４のシェル１４の外形は、第１のシェル１１の光軸２５に対して対称な構成となっている。また、第１のシェル１１との接続口１９は第１の接続構造であり、基本的な形態は円形であり、光軸２５に対して対称な構成となっている。したがって、第４のシェル１４を光軸２５の回りに１８０度回転させても、第４のシェル１４を第２のシェル１２に取り付けることができ、第１のシェル１１を接続口１９に取り付けることができる。第４のシェル１４の回転対称な、共役な位置に形成された接続構造１８のフランジ１７ａおよび１７ｂは、第２のシェル１２のフランジ１６のねじ孔１６ｓと対峙する角度の間隔でねじ孔１７ｓが形成されている。さらに、それぞれのねじ孔１７ｓから若干シフトした位置にねじ止め用の工具を通す孔１７ｈが形成されており、これらのフランジ１７ａおよび１７ｂにおいては、ねじ孔１７ｓと工具用の孔１７ｈの位置が入れ替わっている。したがって、第２のシェル１２と接続しない方もフランジ１７ｂとなっていても、そのフランジ１７ｂを通してフランジ１７ａと１６とをねじ止めすることができる。
【００２４】
図６に、第２のサブユニット３２、第３のサブユニット３３および第４のサブユニット３４の斜視図を示してある。第２のサブユニット３２および第３のサブユニット３３は、ほぼ筒状の第２のシェル１２および第３のシェル１３をそれぞれ光軸２６に沿って半割した形状をしており、内部にレンズの縁を差し込んで固定できる構造２７および２８を備えている。したがって、これら半割れのサブユニット３２〜３４を、光軸を中心に接続することにより、それぞれのシェル１２〜１４を組み立てることができる。レンズユニット５を組み立てる際は、一方の第２のサブユニット３２および第３のサブユニット３３に第２のレンズ群２２および第３のレンズ群２３をそれぞれ構成するレンズを差し込んで、他方の第２のサブユニット３２および第３のサブユニット３３を接合する。これにより、第２のレンズ群２２および第３のレンズ群２３を、第２のシェル１２および第３のシェル１３によりそれぞれ半径方向から保持することができる。同一形状のサブユニット同士を接合するクラムシェルタイプのホルダであると、接合する２つのサブユニットは同一の型から成形され、それらのサブユニットの製造公差は同一になる。したがって、同一の製造公差のサブユニットにより複数枚のレンズを保持するため、第２のレンズ群２２および第３のレンズ群２３を、光軸２６を中心として精度よく直線状に保持することができる。したがって、レンズユニット５を構成する複数枚のレンズの光軸を揃え易く、光学的性能の高いレンズユニットを歩留まり良く低コストで製造できる。
【００２５】
図７に、接続用の第４のサブユニット３４の構造を、斜視図を用いて示してある。第４のサブユニット３４は、光路を折り曲げる光学素子である三角プリズム６が収納される三角柱状の収納部４１と、第１のシェル１１が挿入される接続部分１９を形成する半円錐状の凹部４５と、第２のシェル１２と接続するためのフランジ１７ａおよび１７ｂを具備する接続構造１８とを備えている。三角柱状の収納部４１は、一方のフランジ１７ａに面する側４２と、第１のシェル１１との接続口１９に面する側４３が開口になっており、光を通す。したがって、第４のシェル１４の収納部４１は、両側の接続構造１８の内、一方の側に面した開口４２から入射された光をプリズム６で９０度折り曲げて開口４３から接続口１９に向けて出射する光路となる。
【００２６】
２つの同一構成のサブユニット３４を、図７に示すように光軸２５を中心に組み合わせると、接続構造１８は光軸２５に対称な位置に形成されているので、第２のシェル１２に接続するフランジ１７ａは組み立てられ、第２のシェル１２に接続可能な第４のシェル１４が組み立てられる。一方、プリズム６を取り付け可能な光路４１は、サブユニット同士で交差し、一方のサブユニット３４の光路４１を、上述したように第２のシェル１２から第１のシェル１１に配置すると、他方のサブユニット３４の光路４１は、第２のシェル１２とは反対側に向いてしまい、有効に投影光が通過しない。しかしながら、図３に基づき説明したように、本例のレンズユニット５においては、プリズム６が配置される、光軸を曲げる箇所で、光軸２５および２６に垂直な面の半分が有効であれば良い光学設計になっている。したがって、同一形状のサブユニット３４を組み合わせた接続用のシェル１４は、光学的にも何らディメリットはなく、第２のシェル１２の第２のレンズ群２２からの投影光２９を有効に反射して９０度向きを変えて、第１のシェル１１の第１のレンズ群２１に供給する。
【００２７】
第４のシェル１４のサブユニット３４の内、一方は光学的には利用されない。したがって、一方のサブユニット３４の光路４１には、プリズム６が設置されていない。また、プリズム６が配置されないサブユニット３４の開口４２は、黒色のテープなどの適当な封鎖部材４９により遮光されている。
【００２８】
なお、本例においては、接続用のシェル１４を第１のシェル１１および第２のシェル１２から独立させているが、これらのシェルと一体にしてクラムシェルタイプにすることも可能である。１つの構成は、第１のシェル１１をクラムシェルにして、第４のシェル１４と一体にする構成である。光路を９０度曲げた方向のレンズ間の距離を調整する箇所がなくなるので、焦点調整のフレキシビリティーが減少する可能性があるが、レンズ保持ユニット１０を構成する部品点数をさらに削減できるというメリットがある。もう１つの構成は、第２のシェル１２と接続用のシェル１４を一体にすること構成である。この場合は、第１のシェル１１に対する第１の接続構造１９を光軸２６に対称な位置に形成する必要がある。この構成は、第２のシェル１２と第４のシェル１４とを一体にするためシェルサイズが大きくなり、成形精度を維持することが難しい可能性がある。しかしながら、第２のシェル１２と第４のシェル１４とを接続するためのフランジを省くことができ、レンズ保持ユニット１０を構成する部品点数を削減できるというメリットもある。
【００２９】
また、上記では、光路を曲げる光学素子としてプリズムを採用した例を示しているが、鏡などの他の光学素子を採用したレンズユニットにおいても本発明を提供できる。また、光路を折り曲げる角度は９０度に限定されない。たとえば、第４のシェル１４において、第２のシェル１２と第１のシェル１１とが９０度以上の角度で組み合わされる場合は、第２の接続構造１８を共役な位置、すなわち、光軸２５に対して対称な位置と、光軸２５に対して同じ角度になるように設ける必要がある。
【００３０】
また、リアプロジェクタ装置、それに適したレンズシステムおよびレンズ保持ユニットを説明したが、本発明のレンズ保持ユニットおよびレンズユニットは画像を投影する全てのシステムに適用することが可能である。また、画像を投影するシステムに限定されずに、レンズを用いる光学装置または光学システムにも適用することができる。
【図面の簡単な説明】
【００３１】
【図１】リアプロジェクタの概略構成を示す図である。
【図２】本発明のレンズユニットの概略構成を示す図である。
【図３】本発明のレンズユニットの光学系を示す図である。
【図４】レンズユニットの外観を、各々のシェルを接続した状態で示す斜視図である。
【図５】レンズユニットの外観を、各々のシェルを分離した状態で示す斜視図である。
【図６】各々のシェルを構成するサブユニットを示す斜視図である。
【図７】接続用の第４のシェルの詳細を示す斜視図である。
【符号の説明】
【００３２】
１    リアプロジェクタ装置
４    ライトバルブ（光変調器）
５    レンズユニット
６    プリズム
９    スクリーン
１０    レンズ保持ユニット
１１    第１のシェル
１２    第２のシェル
１３    第３のシェル
１４    第４のシェル（接続用のシェル）
１８    第２の接続構造
１９    第１の接続構造
２１    第１のレンズ群
２２    第２のレンズ群
２３    第３のレンズ群
３２    第２のサブユニット
３３    第３のサブユニット
３４    第４のサブユニット
【図１】
2006085091.tif 000003
【図２】
2006085091.tif 000004
【図３】
2006085091.tif 000005
【図４】
2006085091.tif 000006
【図５】
2006085091.tif 000007
【図６】
2006085091.tif 000008
【図７】
2006085091.tif 000009